(57)【特許請求の範囲】
【請求項１】
基地局装置が移動局装置に複数のコンポーネントキャリアを割り当てて、前記コンポーネントキャリアを介して前記基地局装置と前記移動局装置が通信を行なう無線通信システムであって、
前記基地局装置は、
下りリンク制御チャネルで他のコンポーネントキャリアに対するランダムアクセス指示情報を送信し、
前記移動局装置は、
１つのコンポーネントキャリアでランダムアクセス手順を実行中に、前記下りリンク制御チャネルで他のコンポーネントキャリアに対するランダムアクセス指示情報を受信した場合は、前記ランダムアクセス指示情報を無視して、前記実行中のランダムアクセス手順を継続することを特徴する無線通信システム。
【請求項２】
基地局装置が移動局装置に複数のコンポーネントキャリアを割り当てて、前記コンポーネントキャリアを介して前記基地局装置と前記移動局装置が通信を行なう無線通信システムであって、
前記基地局装置は、
下りリンク制御チャネルで他のコンポーネントキャリアに対するランダムアクセス指示情報を送信し、
前記移動局装置は、
１つのコンポーネントキャリアでランダムアクセス手順を実行中に、前記下りリンク制御チャネルで他のコンポーネントキャリアに対するランダムアクセス指示情報を受信した場合は、前記実行中のランダムアクセス手順を中止して、前記ランダムアクセス指示情報で示されたコンポーネントキャリアでランダムアクセス手順を開始することを特徴する無線通信システム。
【請求項３】
基地局装置から複数のコンポーネントキャリアを割り当てられて、前記コンポーネントキャリアを介して前記基地局装置と通信を行なう移動局装置であって、
１つのコンポーネントキャリアでランダムアクセス手順を実行中に、下りリンク制御チャネルで他のコンポーネントキャリアに対するランダムアクセス指示情報を受信した場合は、前記ランダムアクセス指示情報を無視して、前記実行中のランダムアクセス手順を継続することを特徴とする移動局装置。
【請求項４】
基地局装置から複数のコンポーネントキャリアを割り当てられて、前記コンポーネントキャリアを介して前記基地局装置と通信を行なう移動局装置であって、
１つのコンポーネントキャリアでランダムアクセス手順を実行中に、下りリンク制御チャネルで他のコンポーネントキャリアに対するランダムアクセス指示情報を受信した場合は、前記実行中のランダムアクセス手順を中止して、前記ランダムアクセス指示情報で示されたコンポーネントキャリアでランダムアクセス手順を開始することを特徴とする移動局装置。
【請求項５】
基地局装置が移動局装置に複数のコンポーネントキャリアを割り当てて、前記コンポーネントキャリアを介して前記基地局装置と前記移動局装置が通信を行なう無線通信システムに適用されるランダムアクセス方法であって、
前記基地局装置は、
下りリンク制御チャネルで他のコンポーネントキャリアに対するランダムアクセス指示情報を送信するステップを有し、
前記移動局装置は、
１つのコンポーネントキャリアでランダムアクセス手順を実行中に、前記下りリンク制御チャネルで他のコンポーネントキャリアに対するランダムアクセス指示情報を受信するステップと、
前記ランダムアクセス指示情報を無視して、前記実行中のランダムアクセス手順を継続するステップと、を有することを特徴するランダムアクセス方法。
【請求項６】
基地局装置が移動局装置に複数のコンポーネントキャリアを割り当てて、前記コンポーネントキャリアを介して前記基地局装置と前記移動局装置が通信を行なう無線通信システムに適用されるランダムアクセス方法であって、
前記基地局装置は、
下りリンク制御チャネルで他のコンポーネントキャリアに対するランダムアクセス指示情報を送信するステップを有し、
前記移動局装置は、
１つのコンポーネントキャリアでランダムアクセス手順を実行中に、前記下りリンク制御チャネルで他のコンポーネントキャリアに対するランダムアクセス指示情報を受信するステップと、
前記実行中のランダムアクセス手順を中止して、前記ランダムアクセス指示情報で示されたコンポーネントキャリアでランダムアクセス手順を開始するステップと、を有することを特徴するランダムアクセス方法。
【請求項７】
基地局装置から複数のコンポーネントキャリアを割り当てられて、前記コンポーネントキャリアを介して前記基地局装置と通信を行なう移動局装置に適用されるランダムアクセス方法であって、
１つのコンポーネントキャリアでランダムアクセス手順を実行中に、下りリンク制御チャネルで他のコンポーネントキャリアに対するランダムアクセス指示情報を受信するステップと、
前記ランダムアクセス指示情報を無視して、前記実行中のランダムアクセス手順を継続するステップと、
を有することを特徴とするランダムアクセス方法。
【請求項８】
基地局装置から複数のコンポーネントキャリアを割り当てられて、前記コンポーネントキャリアを介して前記基地局装置と通信を行なう移動局装置に適用されるランダムアクセス方法であって、
１つのコンポーネントキャリアでランダムアクセス手順を実行中に、下りリンク制御チャネルで他のコンポーネントキャリアに対するランダムアクセス指示情報を受信するステップと、
前記実行中のランダムアクセス手順を中止して、前記ランダムアクセス指示情報で示されたコンポーネントキャリアでランダムアクセス手順を開始するステップと、
を有することを特徴とするランダムアクセス方法。
【請求項９】
移動局装置に実装されることにより、前記移動局装置に複数の機能を発揮させる集積回路であって、
基地局装置から複数のコンポーネントキャリアを割り当てられて、前記コンポーネントキャリアを介して前記基地局装置と通信を行なう機能と、
１つのコンポーネントキャリアでランダムアクセス手順を実行中に、下りリンク制御チャネルで他のコンポーネントキャリアに対するランダムアクセス指示情報を受信する機能と、
前記ランダムアクセス指示情報を無視して、前記実行中のランダムアクセス手順を継続する機能と、
の一連の機能を、前記移動局装置に発揮させることを特徴とする集積回路。
【請求項１０】
移動局装置に実装されることにより、前記移動局装置に複数の機能を発揮させる集積回路であって、
基地局装置から複数のコンポーネントキャリアを割り当てられて、前記コンポーネントキャリアを介して前記基地局装置と通信を行なう機能と、
１つのコンポーネントキャリアでランダムアクセス手順を実行中に、下りリンク制御チャネルで他のコンポーネントキャリアに対するランダムアクセス指示情報を受信する機能と、
前記実行中のランダムアクセス手順を中止して、前記ランダムアクセス指示情報で示されたコンポーネントキャリアでランダムアクセス手順を開始する機能と、
の一連の機能を、前記移動局装置に発揮させることを特徴とする集積回路。
【発明の詳細な説明】
【技術分野】
【０００１】
本発明は、無線通信システム、移動局装置、ランダムアクセス方法及び集積回路に関連し、より詳細には、ランダムアクセス時の動作における無線通信システム、移動局装置、ランダムアクセス方法及び集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
【０００３】
一方、３ＧＰＰでは、第三世代無線アクセスの進化（Evolved Universal Terrestrial Radio Access；以下、「EUTRA」と呼称する。）の標準化が進められている。ＥＵＴＲＡの下りリンクの通信方式として、マルチパス干渉に強く、高速伝送に適したＯＦＤＭ（Orthogonal Frequency Division Multiplexing）方式を採用している。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式を採用している。
【０００４】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【０００５】
Ａｄｖａｎｃｅｄ−ＥＵＴＲＡでは、ＥＵＴＲＡの移動局装置も収容できるようにＥＵＴＲＡの２０ＭＨｚの帯域を複数個束ねることで、１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献３）。
【先行技術文献】
【非特許文献】
【０００６】
【非特許文献１】3GPP TS(Technical Specification)36.300、V8.70(2009-03)、Evolved Universal Terrestrial Radio Access(E-UTRA) and Evolved Universal Terrestrial Radio Access Network(E-UTRAN)、Overall description Stage2
【非特許文献２】3GPP TS(Technical Specification)36.321、V8.50(2009-03)、Evolved Universal Terrestrial Radio Access(E-UTRA) Medium Access Control(MAC) protocol specification
【非特許文献３】3GPP TR(Technical Specification)36.814、V1.00(2009-03)、Evolved Universal Terrestrial Radio Access(E-UTRA) Radio Resource Control(RRC) Protocol specification
【発明の概要】
【発明が解決しようとする課題】
【０００７】
移動局装置が複数のコンポーネントキャリアを使用して基地局装置と通信を行なう場合、通信条件や基地局装置への接続状況によって、各上りリンクのコンポーネントキャリア毎に基地局装置への送信タイミングが異なる場合があり、上りリンクコンポーネントキャリア毎に送信タイミングの調整が必要ということになっている。
【０００８】
しかしながら、コンポーネントキャリア毎に送信タイミングの調整が必要な場合、初期アクセス時やハンドオーバー時などの上りリンク同期が外れている場合には、コンポーネントキャリア毎にランダムアクセス処理が必要になる。１つの移動局装置が複数のコンポーネントキャリアを割り当てられた場合に、コンポーネントキャリア毎に同時にランダムアクセス処理を行うと移動局装置の処理が複雑になるばかりでなく、１つの移動局装置が複数のランダムアクセスを行うので、ランダムアクセス時の衝突確率が増えることになる。
【０００９】
本発明は、このような事情に鑑みてなされたものであり、Ａｄｖａｎｃｅｄ−ＥＵＴＲＡシステムに対して、効率の良いランダムアクセスを可能とする無線通信システム、移動局装置、ランダムアクセス方法及び集積回路を提供することを目的とする。
【課題を解決するための手段】
【００１０】
（１）上記の目的を達成するために、本発明は、以下のような手段を講じた。すなわち、本発明の無線通信システムは、基地局装置が移動局装置に複数のコンポーネントキャリアを割り当てて、通信中に前記移動局装置がランダムアクセスを行なう無線通信システムであって、前記基地局装置は、前記移動局装置にセキュリティ情報を前記移動局装置に通知し、前記移動局装置は、スケジューリングリクエストのランダムアクセスが必要になった場合、前記セキュリティ情報から示されたセキュリティ機能が設定されたコンポーネントキャリアでランダムアクセスプリアンブルを送信し、前記セキュリティ機能を割り当てられたコンポーネントキャリア以外のコンポーネントキャリアでは、下りリンク制御チャネルでランダムアクセス指示を受信した場合にのみ、ランダムアクセスプリアンブルを送信することを特徴とする。
【００１１】
このように、基地局装置がセキュリティ情報を移動局装置に通知し、移動局装置は、セキュリティ情報から示されたセキュリティ機能が設定されたコンポーネントのみで、スケジューリングリクエストのランダムアクセスを行ない、その他のコンポーネントキャリアでは、ランダムアクセス指示によるランダムアクセスを行なうことにより、セキュリティ機能が設定されてないコンポーネントキャリア以外では、基地局装置からの指示がないとランダムアクセスが行なえないので、無駄なランダムアクセスは発生しないで、効率の良いランダムアクセスが実行できる。
【００１２】
（２）また、本発明の無線通信システムは、基地局装置が移動局装置に複数のコンポーネントキャリアを割り当てて、通信中に前記移動局装置がランダムアクセスを行なう無線通信システムであって、前記基地局装置は、コンポーネントキャリアの割り当て情報とランダムアクセスに関する情報を含んだコンポーネントキャリアの設定情報とランダムアクセスに関する情報を含まないコンポーネントキャリアの設定情報を前記移動局装置に通知し、前記移動局装置は、前記割り当て情報と前記設定情報を受信し、前記基地局装置から割り当てられた複数のコンポーネントキャリアの内、ランダムアクセスに関する設定情報があるコンポーネントキャリアでのみランダムアクセスプリアンブルを送信することを特徴とする。
【００１３】
このように、基地局装置が移動局装置にランダムアクセスに関する情報を含むコンポーネントキャリアの設定情報とランダムアクセスに関する情報を含まないコンポーネントキャリアの設定情報を通知し、移動局装置は、基地局装置からランダムアクセスに関する情報を通知されたコンポーネントキャリアでのみランダムアクセスを行なうので、無駄なランダムアクセスは発生しないで、効率の良いランダムアクセスが実行できる。
【００１４】
（３）また、本発明の移動局装置は、基地局装置から複数のコンポーネントキャリアを割り当てられて、基地局装置との通信中であってもランダムアクセスを行なう移動局装置であって、前記基地局装置からセキュリティ情報を受信し、スケジューリングリクエストのランダムアクセスが必要になった場合、前記セキュリティ情報から示されたセキュリティ機能が設定されたコンポーネントキャリアでランダムアクセスプリアンブルを送信し、前記セキュリティ機能を割り当てられたコンポーネントキャリア以外のコンポーネントキャリアでは、下りリンク制御チャネルでランダムアクセス指示を受信した場合にのみ、ランダムアクセスプリアンブルを送信することを特徴とする。
【００１５】
このように、基地局装置がセキュリティ情報を移動局装置に通知し、移動局装置は、セキュリティ情報から示されたセキュリティ機能が設定されたコンポーネントのみで、スケジューリングリクエストのランダムアクセスを行ない、その他のコンポーネントキャリアでは、ランダムアクセス指示によるランダムアクセスを行なうことにより、セキュリティ機能が設定されてないコンポーネントキャリア以外では、基地局装置からの指示がないとランダムアクセスが行なえないので、無駄なランダムアクセスは発生しないで、効率の良いランダムアクセスが実行できる。
【００１６】
（４）また、本発明の移動局装置は、基地局装置から複数のコンポーネントキャリアを割り当てられて、基地局装置との通信中であってもランダムアクセを行なう移動局装置であって、前記基地局装置から上りリンク制御チャネルの割り当て情報を受信し、スケジューリングリクエストのランダムアクセスが必要になった場合、前記上りリンク制御チャネルが割り当てられたコンポーネントキャリアでランダムアクセスプリアンブルを送信し、前記上りリンク制御チャネルが割り当てられたコンポーネントキャリア以外のコンポーネントキャリアでは、下りリンク制御チャネルでランダムアクセス指示を受信した場合にのみ、ランダムアクセスプリアンブルを送信することを特徴とする。
【００１７】
このように、基地局装置が上りリンク制御チャネル割り当てを移動局装置に通知し、移動局装置は、上りリンク制御チャネルが設定されたコンポーネントのみで、スケジューリングリクエストのランダムアクセスを行ない、その他のコンポーネントキャリアでは、ランダムアクセス指示によるランダムアクセスを行なうことにより、上りリンク制御チャネルが設定されてないコンポーネントキャリア以外では、基地局装置からの指示がないとランダムアクセスが行なえないので、無駄なランダムアクセスは発生しないで、効率の良いランダムアクセスが実行できる。
【００１８】
（５）本発明の移動局装置は、基地局装置から複数のコンポーネントキャリアを割り当てられて、基地局装置との通信中であってもランダムアクセスを行なう移動局装置であって、前記基地局装置からンポーネントキャリアの割り当て情報とランダムアクセスに関する設定情報を含んだコンポーネントキャリアの設定情報とランダムアクセスに関する設定情報を含まないコンポーネントキャリアの設定情報を受信し、前記基地局装置から割り当てられた複数のコンポーネントキャリアの内、ランダムアクセスに関する設定情報があるコンポーネントキャリアでのみランダムアクセスプリアンブルを送信することを特徴とする。
【００１９】
このように、基地局装置が移動局装置にランダムアクセスに関する情報を含むコンポーネントキャリアの設定情報とランダムアクセスに関する情報を含まないコンポーネントキャリアの設定情報を通知し、移動局装置は、基地局装置からランダムアクセスに関する情報を通知されたコンポーネントキャリアでのみランダムアクセスを行なうので、無駄なランダムアクセスは発生しないで、効率の良いランダムアクセスが実行できる。
【００２０】
（６）また、本発明の移動局装置は、基地局装置から複数のコンポーネントキャリアを割り当てられて、基地局装置との通信中であってもランダムアクセスを行なう移動局装置であって、１つのコンポーネントキャリアでランダムアクセス処理実行中に下りリンク制御チャネルで他のコンポーネントキャリアに対してのランダムアクセス指示情報を受信した場合、前記ランダムアクセス指示情報を無視するか、または、実行中のランダムアクセス処理を中止して、ランダムアクセス指示情報で示されたコンポーネントキャリアでランダムアクセスプリアンブルを送信するかのどちらかの一方の処理を行うことを特徴とする。
【００２１】
このように、移動局装置が１つのコンポーネントキャリアでランダムアクセス処理実行中に下りリンク制御チャネルで他のコンポーネントキャリアに対してのランダムアクセス指示情報を受信した場合、前記ランダムアクセス指示情報を無視するか、または、実行中のランダムアクセス処理を中止して、ランダムアクセス指示情報で示されたコンポーネントキャリアでランダムアクセスプリアンブルを送信するかのどちらかの一方の処理を行うことにより、同時に複数のランダムアクセス処理が行われず、移動局装置の負荷を少なくすることができる。
【００２２】
（７）本発明の基地局装置は、移動局装置に複数のコンポーネントキャリアを割り当てて、前記移動局装置と通信中に前記移動局装置からのランダムアクセスプリアンブルを受信する基地局装置であって、コンポーネントキャリアの割り当て情報とランダムアクセスに関する情報を含んだコンポーネントキャリアの設定情報とランダムアクセスに関する情報を含まないコンポーネントキャリアの設定情報を前記移動局装置に通知することを特徴とする。
【００２３】
このように、基地局装置が移動局装置にランダムアクセスに関する情報を含むコンポーネントキャリアの設定情報とランダムアクセスに関する情報を含まないコンポーネントキャリアの設定情報を通知することで、移動局装置は、基地局装置からランダムアクセスに関する情報を通知されたコンポーネントキャリアでのみランダムアクセスを行なうので、無駄なランダムアクセスは発生しないで、効率の良いランダムアクセスが実行できる。
【００２４】
（８）また、本発明のランダムアクセス方法は、基地局装置が移動局装置に複数のコンポーネントキャリアを割り当てて、通信中に前記移動局装置がランダムアクセスを行なう無線通信システムに適用される無線通信方法であって、前記基地局装置において、前記移動局装置にセキュリティ情報を前記移動局装置に通知するステップと、前記移動局装置において、スケジューリングリクエストのランダムアクセスが必要になった場合、前記セキュリティ情報から示されたセキュリティ機能が設定されたコンポーネントキャリアでランダムアクセスプリアンブルを送信するステップと、前記セキュリティ機能を割り当てられたコンポーネントキャリア以外のコンポーネントキャリアでは、下りリンク制御チャネルでランダムアクセス指示を受信した場合にのみ、ランダムアクセスプリアンブルを送信するステップを少なくとも含むことを特徴とする。
【００２５】
このように、基地局装置がセキュリティ情報を移動局装置に通知し、移動局装置は、セキュリティ情報から示されたセキュリティ機能が設定されたコンポーネントのみで、スケジューリングリクエストのランダムアクセスを行ない、その他のコンポーネントキャリアでは、ランダムアクセス指示によるランダムアクセスを行なうことにより、セキュリティ機能が設定されてないコンポーネントキャリア以外では、基地局装置からの指示がないとランダムアクセスが行なえないので、無駄なランダムアクセスは発生しないで、効率の良いランダムアクセスが実行できる。
【００２６】
（９）本発明のランダムアクセス方法は、基地局装置が移動局装置に複数のコンポーネントキャリアを割り当てて、通信中に前記移動局装置がランダムアクセスを行なう無線通信システムに適用される無線通信方法であって、前記基地局装置において、コンポーネントキャリアの割り当て情報とランダムアクセスに関する情報を含んだコンポーネントキャリアの設定情報とランダムアクセスに関する情報を含まないコンポーネントキャリアの設定情報を前記移動局装置に通知するステップと、前記移動局装置において、前記割り当て情報と前記設定情報を受信するステップと、前記基地局装置から割り当てられた複数のコンポーネントキャリアの内、ランダムアクセスに関する設定情報があるコンポーネントキャリアでのみランダムアクセスプリアンブルを送信するステップを少なくとも含むことを特徴とする。   
【００２７】
このように、基地局装置が移動局装置にランダムアクセスに関する情報を含むコンポーネントキャリアの設定情報とランダムアクセスに関する情報を含まないコンポーネントキャリアの設定情報を通知し、移動局装置は、基地局装置からランダムアクセスに関する情報を通知されたコンポーネントキャリアでのみランダムアクセスを行なうので、無駄なランダムアクセスは発生しないで、効率の良いランダムアクセスが実行できる。
【００２８】
（１０）また、本発明の集積回路は、基地局装置が移動局装置に複数のコンポーネントキャリアを割り当てて、通信中に前記移動局装置がランダムアクセスを行なう無線通信システムに適用される集積回路であって、前記基地局装置からセキュリティ情報を取得する手段と、スケジューリングリクエストのランダムアクセスが必要になった場合、前記セキュリティ情報からセキュリティ機能が設定されたコンポーネントキャリアでランダムアクセスプリアンブルを送信する手段と、前記セキュリティ機能を割り当てられたコンポーネントキャリア以外のコンポーネントキャリアでは、下りリンク制御チャネルでランダムアクセス指示を受信した場合にのみ、ランダムアクセスプリアンブルを送信する手段を有することを特徴とする。
【００２９】
このように、基地局装置がセキュリティ情報を移動局装置に通知し、移動局装置は、セキュリティ情報から示されたセキュリティ機能が設定されたコンポーネントのみで、スケジューリングリクエストのランダムアクセスを行ない、その他のコンポーネントキャリアでは、ランダムアクセス指示によるランダムアクセスを行なうことにより、セキュリティ機能が設定されてないコンポーネントキャリア以外では、基地局装置からの指示がないとランダムアクセスが行なえないので、無駄なランダムアクセスは発生しないで、効率の良いランダムアクセスが実行できる。
【００３０】
（１１）また、本発明の集積回路は、基地局装置が移動局装置に複数のコンポーネントキャリアを割り当てて、通信中に前記移動局装置がランダムアクセスを行なう無線通信システムに適用される集積回路であって、前記基地局装置からコンポーネントキャリアの割り当て情報とランダムアクセスに関する設定情報を含んだコンポーネントキャリアの設定情報とランダムアクセスに関する設定情報を含まないコンポーネントキャリアの設定情報を受信する手段と、前記基地局装置から割り当てられた複数のコンポーネントキャリアの内、ランダムアクセスに関する設定情報があるコンポーネントキャリアでのみランダムアクセスプリアンブルを送信する手段を有することを特徴とする。
【００３１】
このように、基地局装置が移動局装置にランダムアクセスに関する情報を含むコンポーネントキャリアの設定情報とランダムアクセスに関する情報を含まないコンポーネントキャリアの設定情報を通知し、移動局装置は、基地局装置からランダムアクセスに関する情報を通知されたコンポーネントキャリアでのみランダムアクセスを行なうので、無駄なランダムアクセスは発生しないで、効率の良いランダムアクセスが実行できる。
【００３２】
（１２）また、本発明の集積回路は、基地局装置が移動局装置に複数のコンポーネントキャリアを割り当てて、通信中に前記移動局装置がランダムアクセスを行なう無線通信システムに適用される集積回路であって、コンポーネントキャリアの割り当て情報とランダムアクセスに関する情報を含んだコンポーネントキャリアの設定情報とランダムアクセスに関する情報を含まないコンポーネントキャリアの設定情報を前記移動局装置に通知する手段を有することを特徴とする。
【００３３】
このように、基地局装置が移動局装置にランダムアクセスに関する情報を含むコンポーネントキャリアの設定情報とランダムアクセスに関する情報を含まないコンポーネントキャリアの設定情報を通知し、移動局装置は、基地局装置からランダムアクセスに関する情報を通知されたコンポーネントキャリアでのみランダムアクセスを行なうので、無駄なランダムアクセスは発生しないで、効率の良いランダムアクセスが実行できる。
【発明の効果】
【００３４】
本発明によれば、Ａｄｖａｎｃｅｄ−ＥＵＴＲＡシステムに対して、１つの移動局装置に複数のコンポーネントキャリアが割り当てられている場合においても、不要なランダムアクセス処理が発生しなくなる。これにより、効率の良いランダムアクセスを可能することができる。
【図面の簡単な説明】
【００３５】
【図１】ＥＵＴＲＡにおけるチャネル構成を示す図である。
【図２】ＥＵＴＲＡにおける上りリンクの構成を示す図である。
【図３】Contention based Random Accessの手順を示す図である。
【図４】Non-contention based Random Accessの手順を示す図である。
【図５】ＥＵＴＲＡにおけるシーケンスグループの例を示す図である。
【図６】Ａｄｖａｎｃｅｄ−ＥＵＴＲＡにおける下りリンクのコンポーネントキャリアについての説明図である。
【図７】Ａｄｖａｎｃｅｄ−ＥＵＴＲＡにおける上りリンクのコンポーネントキャリアについての説明図である。
【図８】本発明の実施形態１に係る移動局装置の構成を示す図である。
【図９】本発明の実施形態１に係る基地局装置の構成を示す図である。
【図１０】本発明の実施形態２に係る移動局装置の構成を示す図である。
【図１１】本発明の実施形態２に係る基地局装置の構成を示す図である。
【発明を実施するための形態】
【００３６】
ＥＵＴＲＡの下りリンクでは、下りリンクパイロットチャネルＤＰｉＣＨ（Downlink Pilot Channel）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、共通制御チャネルＣＣＰＣＨ（Common Control Physical Channel）により構成されている。
【００３７】
ＥＵＴＲＡの上りリンクでは、上りリンクパイロットチャネルＵＰｉＣＨ（Uplink Pilot Channel）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている（非特許文献１）。
【００３８】
図１は、ＥＵＴＲＡにおけるチャネル構成を示す図であり、図２は、ＥＵＴＲＡにおける上りリンクの構成を示す図である。１ブロックは、１２本のサブキャリアと７つのＯＦＤＭシンボルから構成される。そして、２つのブロックを使用して、１リソースブロックを構成する。ランダムアクセスチャネルＲＡＣＨは、１サブフレーム内に、１個のランダムアクセスチャネルを用意され、多数の移動局装置、例えば、移動局装置１−１〜１−３からのアクセスに対応することになっている。
【００３９】
このランダムアクセスチャネルＲＡＣＨの配置構成（周波数位置及び時間位置）は、基地局装置３から報知情報として、移動局装置１−１〜１−３に通知される。ランダムアクセスチャネルＲＡＣＨは、一定の周期で配置され、ランダムアクセスチャネルＲＡＣＨと、上りリンク共用チャネルＰＵＳＣＨの領域と上りリンク制御チャネルＰＵＣＣＨの領域とが図示のように分けられている。尚、１つのランダムアクセスチャネルＲＡＣＨは、６個分のリソースブロックを使用して構成される。ランダムアクセスチャネルの使用目的は、上りリンクにおいて、移動局装置１−１〜１−３と基地局装置３との間で同期をとること（移動局装置１−１〜１−３から基地局装置３への送信タイミングを調整すること）を目的としている。
【００４０】
ランダムアクセス手順には、Contention based Random Access（競合ベースランダムアクセス）とNon-contention based Random Access（非競合ベースランダムアクセス）の２つのアクセス手順がある（非特許文献１）。
【００４１】
図３は、Contention based Random Accessの手順を示す図である。Contention based Random Accessは、移動局装置間で衝突する可能性のあるランダムアクセスであり、Contention based Random Accessは、基地局装置と接続（通信）していない状態からの初期アクセス時や基地局装置と接続中であるが、上りリンク同期が外れている状態で移動局装置に上りリンクデータ送信が発生した場合などに行われる。
【００４２】
図４は、Non-contention based Random Accessの手順を示す図である。Non-contention based Random Accessは、移動局装置間で衝突が発生しないランダムアクセスであり、基地局装置と移動局装置が接続中である場合で迅速に移動局装置と基地局装置との間の同期をとるためにハンドオーバーや移動局装置の送信タイミングが有効でない場合等の特別な場合に基地局装置から指示されて移動局装置がランダムアクセスを開始する（非特許文献１）。Non-contention based Random Accessは、ＲＲＣ（Ｒａｄｉｏ  Ｒｅｓｏｕｒｃｅ  Ｃｏｎｔｒｏｌ：Ｌａｙｅｒ３）層のメッセージ及び下りリンク制御チャネルＰＤＣＣＨの制御データにより指示される。
【００４３】
移動局装置１−１が、ランダムアクセスチャネルＲＡＣＨにアクセスする場合、ランダムアクセスプリアンブルのみ送信する。ランダムアクセスプリアンブルは、プリアンブル部とＣＰ（Cyclic prefix）部から構成される。プリアンブル部には、情報を表す信号パターンであるＣＡＺＡＣ（Constant Amplitude Zero Auto-Correlation Zone Code）シーケンスを用い、６４種類のシーケンスを用意して６ビットの情報を表現するようにしている。
【００４４】
図５で示すようにランダムアクセスプリアンブルに使用されるＣＡＺＡＣシーケンスは、大きく分けてContention based Random Accessで使用されるシーケンス（ランダムシーケンス、または、ランダムプリアンブル）とNon-contention based Random Accessで使用されるシーケンス（専用シーケンス、または、専用プリアンブル）とに分けられる。尚、このランダムアクセスプリアンブルの生成に関する情報も基地局装置３から報知情報として移動局装置１−１〜１−３に通知される。
【００４５】
図３を用いて、Contention based Random Access手順を簡単に説明する。まず、移動局装置のうち、移動局装置１−１がランダムアクセスプリアンブルを基地局装置３に送信する（メッセージ１：（１）、ステップＳ１）。そして、ランダムアクセスプリアンブルを受信した基地局装置３が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３は、（３）の上位レイヤメッセージを受信できた移動局装置１−１に衝突確認メッセージを送信する（メッセージ４：（４）、ステップＳ４）。尚、Contention based Random Accessをランダムプリアンブル送信とも言う。
【００４６】
図４を用いて、Non-contention based Random Access手順を簡単に説明する。まず、基地局装置３は、プリアンブル番号（または、シーケンス番号）と使用するランダムアクセスチャネル番号を移動局装置１−１に通知する（メッセージ０：（１）’、ステップＳ１１）。移動局装置１−１は、指定されたプリアンブル番号のランダムアクセスプリアンブルを指定されたランダムアクセスチャネルＲＡＣＨに送信する（メッセージ１：（２）’、ステップＳ１２）。そして、ランダムアクセスプリアンブルを受信した基地局装置３が、ランダムアクセスプリアンブルに対する応答（ランダムアクセスレスポンス）を移動局装置１−１に送信する（メッセージ２：（３）’、ステップＳ１３）。ただし、通知されたプリアンブル番号の値が０の場合は、Contention based Random Accessを行なう。尚、Non-contention based Random Accessを専用プリアンブル送信とも言う。
【００４７】
図３について、具体的にContention based Random Access手順を説明する。まず、移動局装置１−１が、下りリンクの無線伝搬路状態（パスロス）やメッセージ３のサイズに基づいて、ランダムシーケンスグループの中から１つのランダムシーケンスを選択し、選択したランダムシーケンスを元にランダムアクセスプリアンブルを生成して、ランダムアクセスチャネルＲＡＣＨでランダムアクセスプリアンブルを送信する（メッセージ１：（１））。
【００４８】
基地局装置３は、移動局装置１−１からのランダムアクセスプリアンブルを検出すると、ランダムアクセスプリアンブルから移動局装置１−１と基地局装置３との間の送信タイミングのずれ量を算出し、Ｌ２／Ｌ３メッセージを送信するためスケジューリング（上りリンクの無線リソース位置、送信フォーマット（メッセージサイズ）などの指定）を行ない、Ｔｅｍｐｏｒａｒｙ  Ｃ−ＲＮＴＩ（Cell-Radio Network Temporary Identity：移動局装置識別情報）を割り当て、下りリンク制御チャネルＰＤＣＣＨにランダムアクセスチャネルＲＡＣＨのランダムアクセスプリアンブルを送信した移動局装置１−１宛の応答（ランダムアクセスレスポンス）を示すＲＡ−ＲＮＴＩを配置し、下りリンク共用チャネルＰＤＳＣＨに送信タイミング情報、スケジューリング情報、Ｔｅｍｐｏｒａｒｙ  Ｃ−ＲＮＴＩおよび受信したプリアンブルのプリアンブル番号（シーケンス番号）を含んだランダムアクセスレスポンスメッセージを送信する（メッセージ２：（２））。
【００４９】
移動局装置１−１は、下りリンク制御チャネルＰＤＣＣＨにＲＡ−ＲＮＴＩがあることを検出すると、下りリンク共用チャネルＰＤＳＣＨに配置されたランダムアクセスレスポンスメッセージの中身を確認し、送信したランダムアクセスプリアンブルに対応するプリアンブル番号が含まれている場合、メッセージ情報を抽出し、送信タイミングを調整し、スケジューリングされた無線リソースと送信フォーマットでＣ−ＲＮＴＩ（またはTemporary C-RNTI）または、ＩＭＳＩ（International Mobile Subscriber Identity）等の移動局装置１−１を識別する情報を含むＬ２／Ｌ３メッセージを送信する（メッセージ３：（３））。送信タイミングが調整された場合に、調整された送信タイミングが有効であるタイマーがスタートされ、このタイマーが満了すると送信タイミングは無効となる。送信タイミングは有効の間は、移動局装置からのデータ送信は可能であり、送信タイミングが無効の場合、上りリンクの送信はランダムアクセスプリアンブルの送信しかできないことになっている。
【００５０】
尚、移動局装置１−１は、基地局装置３からのランダムアクセスレスポンスメッセージを一定期間待ち続け、送信したランダムアクセスプリアンブルのプリアンブル番号を含んだランダムアクセスレスポンスメッセージを受信しない場合は、再度、ランダムアクセスプリアンブルを送信する。
【００５１】
基地局装置３は、移動局装置１−１からのＬ２／Ｌ３メッセージを受信すると、受信したＬ２／Ｌ３メッセージに含まれるＣ−ＲＮＴＩ（またはTemporary C-RNTI）またはＩＭＳＩを使用して移動局装置１−１〜１−３間で衝突が起こっているかどうか判断するための衝突確認（コンテンションレゾリューション）メッセージを移動局装置１−１に送信する（メッセージ４：（４））。
【００５２】
尚、移動局装置１−１は、一定期間内に送信したランダムアクセスプリアンブルに対応するプリアンブル番号を含むランダムアクセスレスポンスメッセージを検出しなかった場合、メッセージ３の送信に失敗した場合、または、一定期間内に衝突確認メッセージに自移動局装置１−１の識別情報を検出しなかった場合、ランダムアクセスプリアンブルの送信（メッセージ１：（１））からやり直す（非特許文献２）。尚、ランダムアクセス手順終了後は、更に基地局装置３と移動局装置１−１との間で接続の為の制御データのやり取りがされる。
【００５３】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００５４】
図６は、Ａｄｖａｎｃｅｄ−ＥＵＴＲＡにおける下りリンクのコンポーネントキャリアについての説明図である。図７は、Ａｄｖａｎｃｅｄ−ＥＵＴＲＡにおける上りリンクのコンポーネントキャリアについての説明図である。
【００５５】
Ａｄｖａｎｃｅｄ−ＥＵＴＲＡでは、ＥＵＴＲＡの移動局装置も収容できるようにＥＵＴＲＡの２０ＭＨｚの帯域を複数個束ねることで、１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献３）。
【００５６】
基地局装置は、複数あるコンポーネントキャリアの中から移動局装置の通信能力や通信条件にあった１つ以上のコンポーネントキャリアを割り当て、移動局装置は割り当てられたコンポーネントキャリアでデータの送受信を行なう。
【００５７】
移動局装置が複数のコンポーネントキャリアを使用して基地局装置と通信を行なう場合、通信条件や基地局装置への接続状況によって、各上りリンクのコンポーネントキャリア毎に基地局装置への送信タイミングが異なる場合があり、上りリンクコンポーネントキャリア毎に送信タイミングの調整が必要ということになっている。
【００５８】
（実施例１）
[構成説明]
図８は、本発明の実施形態に係る移動局装置の構成を示す図である。移動局装置１−１〜１−３は、無線部１０１、送信処理部１０３−１〜１０３−３、受信処理部１０５−１〜１０５−３、送信データ制御部１０７、スケジューリング部１０９、制御データ抽出部１１１、ランダムアクセスプリアンブル生成部１１３、送信タイミング調整部１１５−１〜１１５−３から構成される。スケジューリング部１０９は、制御データ作成部１１７、制御データ解析部１１９、ＵＬスケジューリング部１２１、ランダムアクセス管理部１２３から構成される。尚、本実施例では、コンポーネントキャリアが３つある場合の例を示している為、送信処理部、受信処理部、送信タイミング調整部を３個ずつ持つ構成にしている。
【００５９】
ユーザーデータや制御データは送信データ制御部１０７に入力され、送信データ制御部１０７は、スケジューリング部１０９の指示により、各データを各コンポーネントキャリアの各チャネルに割り当てて、データに暗号化を行い、送信処理部１０３−１〜１０３−３に送る。送信処理部１０３−１〜１０３−３では、送信データ制御部１０７からの信号は、符号化され、変調を施される。変調された信号は、ＤＦＴ−ＩＦＦＴ（Inverse Fast Fourier Transform（逆高速フーリエ変換））処理がされ、ＣＰを挿入される。送信タイミング調整部１１５−１〜１１５−３では、スケジューリング部１０９から渡される送信タイミング情報からデータの送信タイミングを調整し、送信タイミングを調整された後、無線部１０１により無線周波数にアップコンバートされ、送信アンテナから送信される。尚、ランダムアクセスプリアンブルは、送信タイミングが設定されている状態であっても送信タイミングを調整せずに送信される。
【００６０】
無線部１０１は、アンテナより受信した無線信号をダウンコンバートし、受信処理信部に渡す。受信処理部１０５−１〜１０５−３は、無線部１０１から渡された信号をＦＦＴ（Fast Fourier Transform（高速フーリエ変換））処理、復号化、復調処理等を行ない、復調したデータを制御データ抽出部１１１に渡す。また、下りリンクの無線伝搬路特性を測定して、スケジューリング部１０９に測定結果をスケジューリング部１０９に渡す。制御データ抽出部１１１は、入力されたデータの暗号を解き、各コンポーネントキャリアの下りリンク制御チャネルＰＤＣＣＨに配置されているＣ−ＲＮＴＩ（移動局装置識別情報）や下りリンクのスケジューリング情報を見て、自移動局装置宛のデータかどうか判別し、自移動局装置宛のデータの場合、受信処理部１０５−１〜１０５−３で復調された下りリンク共用チャネルＰＤＳＣＨのデータを制御データとユーザーデータに分ける。そして、制御データをスケジューリング部１０９に渡し、ユーザーデータを上位層に渡す。また、下りリンク制御チャネルＰＤＣＣＨに含まれる上りリンクのスケジューリング情報をスケジューリング部に渡す。その他、ランダムアクセスプリアンブルを送信した後にＲＡ−ＲＮＴＩ（Random Access-Radio Network Temporary Identity）を検出した場合に、ランダムアクセスレスポンスメッセージをスケジューリング部１０９に渡す。その他に、受信したデータに対する応答を返すようにスケジューリング部１０９に指示する。
【００６１】
スケジューリング部１０９は、ＵＬスケジューリング部１２１、制御データ解析部１１９、制御データ作成部１１７、ランダムアクセス管理部１２３から構成され、制御データ作成部１１７は、制御データを作成し、制御データ抽出部１１１が受信した下りリンクのデータの応答を作成する。制御データ解析部１１９は、制御データ抽出部１１１からの制御データを解析し、上りリンクデータのスケジューリング情報はＵＬスケジューリング部１２１に渡し、基地局装置３から報知されたランダムアクセスに関する情報（ランダムアクセスチャネルＲＡＣＨの配置情報、ランダムアクセスプリアンブル生成情報など）や初期アクセス時に通知されるランダムアクセスに関する情報や基地局装置３から通知されるランダムアクセス指示情報やランダムアクセスレスポンスのメッセージ内容をランダムアクセス管理部１２３およびランダムアクセスプリアンブル生成部１１３に渡す。また、基地局装置３からのセキュリティに関する情報を送信データ制御部１０７と制御データ抽出部とランダムアクセス管理部１２３と上位層に渡す。尚、セキュリティに関する情報は、データの暗号化に用いられ（例えば、暗号の鍵情報など）、１つのコンポーネントキャリアを基準に設定される。データの暗号化にはコンポーネントキャリアの物理情報も使用するため、セキュリティに関する情報は、１つのコンポーネントキャリアを基準に設定されるようになっている。尚、データの暗号化は、基地局装置３から割り当てられたコンポーネントキャリア全てで適用される。
【００６２】
ＵＬスケジューリング部１２１は、上りリンクデータのスケジューリング情報をもとに送信データ制御部１０７を制御する。また、上位層からのスケジューリング情報をもとにランダムアクセス管理部にランダムアクセスを指示する。
【００６３】
ランダムアクセス管理部１２３は、コンポーネントキャリア毎のランダムアクセスに関する情報とセキュリティに関する情報を管理する。ランダムアクセス管理部１２３は、基地局装置３にランダムアクセスを行なう場合、ランダムアクセスプリアンブルを送信するコンポーネントキャリアをセキュリティ関する情報から決定する。そして、ランダムアクセスに使用するコンポーネントキャリアのランダムアクセスに関する情報を使用して受信処理部１０５から渡された下りリンクの無線伝搬路特性情報とメッセージ３の送信データサイズをもとに使用するシーケンスをランダムに選択し、ランダムアクセスプリアンブル生成部１１３に選択したコンポーネントキャリア番号とシーケンス番号（プリアンブル番号）を通知する。尚、ランダムアクセスの詳細は後述する。
【００６４】
そして、制御データ解析部１１９から渡されたランダムアクセスレスポンスの内容を確認し、送信したランダムアクセスプリアンブルのプリアンブル番号を検出した場合、送信タイミング情報をランダムアクセスしたコンポーネントキャリアに対応した送信タイミング調整部１１５−１〜１１５−３のいずれかに渡し、割り当てられた無線リソース情報をＵＬスケジューリング部１２１に渡す。そして、コンテンションレゾリューションメッセージを確認するとランダムアクセスを終了する。また、制御データ解析部１１９から渡されたランダムアクセス指示情報から使用するコンポーネントキャリア番号とシーケンス番号（プリアンブル番号）とランダムアクセスチャネル番号を抽出し、ランダムアクセスプリアンブル生成部１１３にコンポーネントキャリア番号とシーケンス番号（プリアンブル番号）を渡す。
【００６５】
尚、移動局装置１−１〜１−３が選択するシーケンスをランダムシーケンス（ランダムプリアンブル）と示し、基地局装置３から指定されるシーケンスを専用シーケンス（専用プリアンブル）と示す。基地局装置３から使用するコンポーネントキャリアを指定されない場合、移動局装置１−１は、ランダムアクセス指示情報を受信した下りリンクコンポーネントキャリアに対応した上りリンクコンポーネントキャリアでランダムアクセスを行う。また、使用するシーケンスを指定されない場合、移動局装置１−１は、ランダムシーケンスからシーケンスを選択する。
【００６６】
ランダムアクセスプリアンブル生成部１１３は、スケジューリング部１０９からコンポーネントキャリア番号とシーケンス番号が通知された場合、指定されたコンポーネントキャリアのランダムアクセスに関する情報とシーケンス番号からプリアンブル部およびＣＰ部を作成して、ランダムアクセスプリアンブルを生成し、指定されたコンポーネントキャリアのランダムアクセスに関する情報から使用するランダムアクセスチャネル位置を選択し、選択したランダムアクセスチャネル位置に生成したランダムアクセスプリアンブルを割り当てる。スケジューリング部１０９からコンポーネントキャリア番号とシーケンス番号とランダムアクセスチャネル番号が通知された場合、指定されたコンポーネントキャリアのランダムアクセスに関する情報とシーケンス番号からプリアンブル部およびＣＰ部を作成して、ランダムアクセスプリアンブルを生成し、指定されたコンポーネントキャリアのランダムアクセスに関する情報とランダムアクセス番号から使用するランダムアクセスチャネル位置を選択する。そして、指示されたコンポーネントキャリア内で選択したランダムアクセスチャネル位置に生成したランダムアクセスプリアンブルを割り当てる。
【００６７】
図９は、本発明の実施形態に係る基地局装置３の構成図を示す。基地局装置３は、データ制御部２０１、送信処理部２０３−１〜２０３−３、スケジューリング部２０５（基地局側スケジューリング部）、受信処理部２０７−１〜２０７−３、制御データ抽出部２０９、プリアンブル検出部２１１−１〜２１１−３、無線部２１３から構成される。スケジューリング部２０５は、ＤＬスケジューリング部２１５、ＵＬスケジューリング部２１７、制御データ作成部２１９、ランダムアクセス管理部２２１から構成される。また、本実施例では、コンポーネントキャリアが３つある場合の例を示している為、送信処理部、受信処理部、プリアンブル検出部を３個ずつ持つ構成にしている。
【００６８】
データ制御部２０１は、ユーザーデータと制御データをスケジューリング部２０５からの指示により制御データを各コンポーネントキャリアの下りリンク制御チャネルＰＤＣＣＨ、下りリンク同期チャネルＤＳＣＨ、下りリンクパイロットチャネルＤＰｉＣＨ、共通制御チャネルＣＣＰＣＨ、下りリンク共用チャネルＰＤＳＣＨにマッピングし、各移動局装置１−１〜１−３に対する送信データを下りリンク共用チャネルＰＤＳＣＨにマッピングする。また、データ制御部２０１は、各移動局装置１−１〜１−３に対する送信データに暗号化を行なう。
【００６９】
送信処理部２０３−１〜２０３−３は、データ変調、入力信号の直列／並列変換し、ＩＦＦＴ変換、ＣＰ挿入、フィルタリングなどＯＦＤＭ信号処理を行ない、ＯＦＤＭ信号を生成する。無線部２１３は、ＯＦＤＭ変調されたデータを無線周波数にアップコンバートして、移動局装置１−１に送信する。また、無線部２１３は、移動局装置１−１からの上りリンクのデータを受信し、ベースバンド信号にダウンコンバートして、受信データを受信処理部２０７−１〜２０７−３、プリアンブル検出部２１１−１〜２１１−３に渡す。受信処理部２０７−１〜２０７−３は、スケジューリング部２０５からの上りリンクのスケジューリング情報から移動局装置１−１で行なった送信処理を考慮して復調処理を行ない、データの復調をする。また、受信処理部２０７−１〜２０７−３は、上りリンクパイロットチャネルＵＰｉＣＨから無線伝搬路特性を測定し、結果をスケジューリング部２０５に渡す。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。
【００７０】
制御データ抽出部２０９では、受信したデータの暗号を解き、受信データの正誤を確認し、確認結果をスケジューリング部２０５に通知する。受信データが正しい場合、受信データをユーザーデータと制御データに分離する。
【００７１】
スケジューリング部２０５は、下りリンクのスケジューリングを行なうＤＬスケジューリング部２１５と上りリンクのスケジューリングを行なうＵＬスケジューリング部２１７、制御データ作成部２１９、ランダムアクセス管理部２２１から構成され、ＤＬスケジューリング部２１５は移動局装置１−１から通知される下りリンクの無線伝搬路情報や上位層からの通知される各ユーザーのデータ情報や制御データ作成部２１９で作成される制御データから下りリンクの各チャネルにユーザーデータおよび制御データをマッピングする為のスケジューリングを行なう。ＵＬスケジューリング部２１７は、受信処理部２０７からの上りリンクの無線伝搬路推定結果と移動局装置１−１からの無線リソース割り当て要求から上りリンクの各チャネルにユーザーデータをマッピングする為のスケジューリングを行ない、スケジューリング結果を制御データ作成部２１９と受信処理部２０７に渡す。また、プリアンブル検出部２１１からランダムアクセスプリアンブルを検出したことが通知された場合、上りリンク共用チャネルＰＵＳＣＨを割り当てて、割り当てた上りリンク共用チャネルＰＵＳＣＨとプリアンブル番号（シーケンス番号）を制御データ作成部２１９に通知する。
【００７２】
ランダムアクセス管理部２２１は、移動局装置１−１にランダムアクセスを実行させる場合に、専用シーケンス（専用プリアンブル）があるかどうか確認し、専用シーケンスがある場合、専用シーケンスを１つ選択し、選択した専用シーケンスが利用できるランダムアクセスチャネルＲＡＣＨの位置を選択し、選択した専用シーケンス番号とランダムアクセスチャネル番号と選択した専用シーケンスとランダムアクセスチャネルに対応した下りリンクコンポーネントキャリアの情報（コンポーネントキャリア番号）と移動局装置のＣ−ＲＮＴＩ（移動局装置識別情報）を制御データ作成部に渡す。専用シーケンス（専用プリアンブル）がない場合、専用シーケンス番号とランダムアクセスチャネル番号とコンポーネントキャリア番号を固定の値（例えば、全て０の値）にして制御データ作成部に渡す。尚、ここで指定するランダムアクセスチャネル番号は、移動局装置選択可能なランダムアクセスチャネルの位置を示す情報で、例えば、一定周期（例えば１フレーム毎）に割り当てたランダムアクセスチャネルＲＡＣＨ位置の情報である。
【００７３】
制御データ作成部２１９は、下りリンク制御チャネルＰＤＣＣＨに配置される制御データや下りリンクＰＤＳＣＨに配置される制御データを作成する。スケジューリング情報を含んだ制御メッセージ、上りリンクデータのＡＣＫ／ＮＡＣＫ、ランダムアクセスチャネル位置に関する情報やシーケンス情報とシーケンスグループに関する情報などのランダムアクセスに関する情報を含む報知情報メッセージ、利用するコンポーネントキャリアの設定情報（ランダムアクセスに関する情報を含む）を含んだ初期設定メッセージ、セキュリティに関する情報を含んだセキュリティメッセージ、プリアンブル番号や送信タイミング情報やスケジューリング情報を含んだランダムアクセスレスポンスメッセージ、コンテンションレゾリューションメッセージ、専用シーケンス番号とランダムアクセスチャネル番号とコンポーネントキャリア番号を含んだランダムアクセス指示メッセージなどの制御データを作成する。また、制御データ作成部２１９は、上位層から渡されたセキュリティに関する情報からセキュリティメッセージを作成し、セキュリティに関する情報をデータ制御２０１と制御データ抽出部２０９に渡す。
【００７４】
プリアンブル検出部２１１−１〜２１１−３は、ランダムアクセスチャネルＲＡＣＨでランダムアクセスプリアンブルを検出した場合、検出したランダムアクセスプリアンブルから送信タイミングずれ量を算出し、ランダムアクセスプリアンブルを検出したコンポーネントキャリアと検出したプリアンブル番号（シーケンス番号）と送信タイミングずれ量をスケジューリング部２０５に報告する。
【００７５】
[動作説明]
図３、図４で説明したランダムアクセス手順を使用するような無線通信システムを想定する。また、図６、図７で説明した基地局装置と移動局装置が複数のコンポーネントキャリアを使用して通信を行なうような無線通信システムを想定している。
【００７６】
Ａｄｖａｎｃｅｄ−ＥＵＴＲＡでは、基地局装置は、複数あるコンポーネントキャリアの中から移動局装置の通信能力や通信条件にあった１つ以上のコンポーネントキャリアを割り当て、移動局装置は割り当てられたコンポーネントキャリアでデータの送受信を行なう。移動局装置が複数のコンポーネントキャリアを使用して基地局装置と通信を行なう場合、通信条件や基地局装置への接続状況によって、各上りリンクコンポーネントキャリア毎に基地局装置への送信タイミングが異なる場合があり、上りリンクコンポーネントキャリア毎に送信タイミングの調整が必要ということになっている。
【００７７】
しかしながら、コンポーネントキャリア毎に送信タイミングの調整が必要な場合、初期アクセス時やハンドオーバー時などの上りリンク同期が外れている場合には、コンポーネントキャリア毎にランダムアクセス処理が必要になる。１つの移動局装置が複数のコンポーネントキャリアを割り当てられた場合に、コンポーネントキャリア毎に同時にランダムアクセス処理を行うと移動局装置の処理が複雑になるばかりでなく、１つの移動局装置が複数のランダムアクセスを行うので、移動局装置が自由にランダムアクセスを行うと衝突確率が増えることになる。よって、コンポーネントキャリアによってランダムアクセスの実行を制限することにより、不必要なランダムアクセスを避ける。
【００７８】
例えば、複数のコンポーネントキャリアを利用して、基地局装置と接続している移動局装置は、上りリンクで送信するデータが発生し、スケジューリングリクエスト目的のランダムアクセスを行う場合（上りリンク送信データが発生したことで、自移動局装置でランダムアクセスプリアンブルの送信を決定する場合）は、セキュリティ機能が設定されたコンポーネントキャリアのみでランダムアクセス処理を行い、それ以外のコンポーネントキャリアでは、基地局装置からのランダムアクセス指示（下りリンク制御チャネルでのランダムアクセス指示）があった場合にランダムアクセス処理を行うようにする。尚、ここで示したセキュリティ機能が設定されたコンポーネントキャリアとは、セキュリティ機能が設定された上りリンクコンポーネントキャリアでも良いし、セキュリティ機能が設定された下りリンクコンポーネントキャリアとリンク関係にある上りリンクコンポーネントキャリアでも良い。
【００７９】
このようにすることで、セキュリティ機能を設定されたコンポーネントキャリア以外では、基地局装置がランダムアクセスを管理できるので、無駄なランダムアクセスは発生しない。また、移動局装置も自移動局装置が決定するランダムアクセスはセキュリティ機能を設定されたコンポーネントキャリアのみになるのでランダムアクセス処理は複雑にならない。
【００８０】
移動局装置１−１と基地局装置３の動作を説明する。移動局装置１−１は、セルサーチを行い、通信可能な基地局装置を探す。基地局装置３の１つのコンポーネントキャリアを見つけ、このコンポーネントキャリアから報知情報を取得する。そして、移動局装置１−１は、報知情報に含まれるランダムアクセスに関する情報を使用して、基地局装置３に初期アクセスのためのランダムアクセスを行う。基地局装置３から送信タイミング情報を含んだランダムアクセスレスポンスを取得し、送信タイミングを設定して、メッセージ３を送信する。尚、このメッセージ３に初期アクセスを示した内容を含めてメッセージ３を送信する。ランダムアクセス手順が完了後、移動局装置１−１は、基地局装置３からセキュリティに関する情報や利用するコンポーネントキャリア及び利用するコンポーネント毎の設定情報（ランダムアクセスに関する情報を含む）などの各種設定情報を取得し、取得した情報を設定する。この後、移動局装置１−１と基地局装置３との間で複数のコンポーネントキャリアを用いてユーザーデータのやり取りがされる。
【００８１】
移動局装置１−１は、一定期間内にデータ送信ないと上りリンク同期が外れた（上りリンクの送信タイミングが有効でない）状態になる。移動局装置１−１に新たに送信データが発生した場合、移動局装置１−１は、スケジューリングリクエストとしてランダムアクセスを実行する。この時、移動局装置１−１は、ランダムアクセスで使用するコンポーネントキャリアにセキュリティ機能が設定されたコンポーネントキャリアを選択する。そして、セキュリティ機能が設定されたコンポーネントキャリアのランダムアクセスに関する情報を使用して、１つのランダムシーケンスを選択し、ランダムアクセスプリアンブルを生成して、ランダムアクセスプリアンブルを基地局装置３に送信し、ランダムアクセスを行う。
【００８２】
尚、上りリンク同期している（送信タイミングが有効である）状態であっても、上りリンクの無線リソース（上りリンク共用チャネルＰＵＳＣＨ）が割り当てられていない場合などは、セキュリティ機能が設定されたコンポーネントキャリアのみでスケジューリングリクエストとして、同様にランダムアクセスを行うことは可能である。
【００８３】
セキュリティ機能が設定されていないその他のコンポーネントキャリアでは、移動局装置１−１は、基地局装置３から下りリンク制御チャネルＰＤＣＣＨでランダムアクセス指示情報を受信した場合のみ、上りリンク同期している、または、上りリンク同期していないに関わらず、指示があったコンポーネントキャリアでランダムアクセスを行う。尚、ランダムアクセスは、ランダムアクセス指示情報で指定されたシーケンスを使用して実行される。セキュリティ機能が設定されているコンポーネントキャリアにおいても、同様に基地局装置３からランダムアクセス指示情報を受信した場合、ランダムアクセスを行う。
【００８４】
尚、移動局装置１−１が、スケジューリングリクエストとしてのランダムアクセス手順の処理中に基地局装置３からランダムアクセス指示情報を受信した場合、実行中のランダムアクセス処理を継続して、基地局装置３からのランダムアクセス指示情報を無視するか、実行中のランダムアクセス処理を中止して、基地局装置３からのランダムアクセス指示情報に従ってランダムアクセスを行う。また、基地局装置３からのランダムアクセス指示情報からのランダムアクセス処理中に別のコンポーネントキャリアでのランダムアクセス指示情報を受信した場合、最初のランダムアクセス指示を優先させ、後のランダムアクセス指示情報を無視する。このように移動局装置１−１は、複数のランダムアクセス処理を同時に実行しないようにして、ランダムアクセス処理を複雑にさせないようにする。
【００８５】
基地局装置３は、ランダムアクセスプリアンブルを受信すると、ランダムアクセスプリアンブルから移動局装置１−１の送信タイミングを算出し、ランダムアクセスレスポンスで送信タイミングを通知する。そして、ランダムアクセス処理後、移動局装置１−１は、初期アクセスであるから、セキュリティに関する情報や利用するコンポーネントキャリアに関する情報などの各種設定情報を通知する。この後、基地局装置３と移動局装置１−１との間でユーザーデータのやり取りがされる。
【００８６】
基地局装置３は、移動局装置１−１の上りリンク同期が外れている状態で移動局装置１−１に対する下りリンクデータが発生した場合や未使用のコンポーネントキャリアを使用してデータの送受信を行なう場合、移動局装置１−１にランダムアクセス指示を行なう。この時、使用するコンポーネントキャリア番号、使用するシーケンスの番号などを含めたランダムアクセス指示情報を下りリンク制御チャネルＰＤＣＣＨで移動局装置１−１に通知する。そして、移動局装置１−１からのランダムアクセスプリアンブルを受信した場合、受信したランダムアクセスプリアンブルから移動局装置１−１の送信タイミングを算出し、ランダムアクセスレスポンスで送信タイミングを通知する。
【００８７】
このようにすることで、無駄なランダムアクセスは発生しない。また、移動局装置は、同時にランダムアクセス処理を行なう必要がないので、移動局装置のランダムアクセス処理は複雑にならない。
【００８８】
（実施例２）
[構成説明]
図１０は、本発明の実施形態に係る移動局装置の構成を示す図である。移動局装置１−１〜１−３は、無線部１０１、送信処理部１０３−１〜１０３−３、受信処理部１０５−１〜１０５−３、送信データ制御部１０７、スケジューリング部１０９、制御データ抽出部１１１、ランダムアクセスプリアンブル生成部１１３、送信タイミング調整部１１５−１〜１１５−３から構成される。スケジューリング部１０９は、制御データ作成部１１７、制御データ解析部１１９、ＵＬスケジューリング部１２１、ランダムアクセス管理部１２３、上りリンク制御チャネル管理部１２５から構成される。また、本実施例では、コンポーネントキャリアが３つある場合の例を示している為、送信処理部、受信処理部、送信タイミング調整部を３個ずつ持つ構成にしている。尚、無線部１０１、送信処理部１０３−１〜１０３−３、受信処理部１０５−１〜１０５−３、送信データ制御部１０７、制御データ抽出部１０９、ランダムアクセスプリアンブル生成部１１３、送信タイミング調整部１１５−１〜１１５−３の動作は、図８で示した移動局装置の動作と同じであるので説明は省略する。
【００８９】
スケジューリング部１０９は、ＵＬスケジューリング部１２１、制御データ解析部１１９、制御データ作成部１１７、ランダムアクセス管理部１２３、上りリンク制御チャネル管理部１２５から構成され、制御データ作成部１１７は、制御データを作成し、制御データ抽出部１１１が受信した下りリンクのデータの応答を作成する。制御データ解析部１１９は、制御データ抽出部１１１からのデータを解析し、上りリンクデータのスケジューリング情報はＵＬスケジューリング部１２１に渡し、基地局装置３から報知されるランダムアクセスに関する情報（ランダムアクセスチャネルＲＡＣＨの配置情報、ランダムアクセスプリアンブル生成情報など）や初期アクセス時に通知されるランダムアクセスに関する情報や基地局装置３からのランダムアクセス指示情報やランダムアクセスレスポンスのメッセージ内容をランダムアクセス管理部１２３およびランダムアクセスプリアンブル生成部１１３に渡す。また、基地局装置３からの上りリンク制御チャネル割り当て情報を上りリンク制御チャネル管理部１２５に渡し、セキュリティに関する情報をランダムアクセス管理部１２３と送信データ制御部１０７と制御データ抽出部１１１と上位層に渡す。尚、セキュリティに関する情報は、データの暗号化に用いられ（例えば、暗号鍵など）、１つのコンポーネントキャリアを基準に設定される。データの暗号化にはコンポーネントキャリアの物理情報も使用するため、セキュリティに関する情報は、１つのコンポーネントキャリアを基準に設定されるようになっている。尚、データの暗号化は、基地局装置３から割り当てられたコンポーネントキャリア全てで適用される。
【００９０】
ＵＬスケジューリング部１２１は、上りリンクデータのスケジューリング情報をもとに送信データ制御部１０７を制御する。また、上位層からのスケジューリング情報を元にランダムアクセス管理部にランダムアクセスを指示する。上りリンク制御チャネル管理部１２５は、基地局装置３から割り当てられた下りリンクデータの応答送信用の上りリンク制御チャネルＰＵＣＣＨの無線リソースや下りリンクの無線伝搬路情報（ＣＱＩ：Ｃｈａｎｎｅｌ  Ｑｕａｌｉｔｙ  Ｉｎｄｉｃａｔｏｒ）送信用の上りリンク制御チャネルＰＵＣＣＨの無線リソースやスケジューリングリクエスト送信用の上りリンク制御チャネルの無線リソースを管理する。そして、上りリンクの送信タイミングが有効な期間が過ぎた場合、割り当てられた上りリンク制御チャネルＰＵＣＣＨの無線リソースを解放する。また、上りリンク制御チャネル管理部１２５は、上りリンク制御チャネルＰＵＣＣＨが設定されているコンポーネントキャリアの情報をランダムアクセス管理部１２３に通知する。
【００９１】
ランダムアクセス管理部１２３は、コンポーネントキャリア毎のランダムアクセスに関する情報とセキュリティに関する情報と上りリンク制御チャネルの設定情報を管理する。ランダムアクセス管理部１２３は、ランダムアクセスを行なう場合、ランダムアクセスプリアンブルを送信するコンポーネントキャリアをセキュリティ関する情報と上りリンク制御チャネルＰＵＣＣＨの設定情報から決定する。そして、決定したコンポーネントキャリアのランダムアクセスに関する情報と受信処理部１０５から渡された下りリンクの無線伝搬路特性情報とメッセージ３の送信データサイズを元にランダムアクセスで使用するシーケンスをランダムに選択し、ランダムアクセスプリアンブル生成部１１３に選択したコンポーネントキャリア番号とシーケンス番号（プリアンブル番号）を通知する。尚、ランダムアクセスの詳細は後述する。
【００９２】
そして、制御データ解析部１１９から渡されたランダムアクセスレスポンスの内容を確認し、送信したランダムアクセスプリアンブルのプリアンブル番号を検出した場合、送信タイミング情報をランダムアクセスしたコンポーネントキャリアに対応した送信タイミング調整部１１５−１〜１１５−３のいずれかに渡し、割り当てられた無線リソース情報をＵＬスケジューリング部１２１に渡す。そして、コンテンションレゾリューションメッセージを確認するとランダムアクセスを終了する。また、制御データ解析部１１９から渡されたランダムアクセス指示情報から使用するコンポーネントキャリア番号とシーケンス番号（プリアンブル番号）とランダムアクセスチャネル番号を抽出し、ランダムアクセスプリアンブル生成部１１３にコンポーネントキャリア番号とシーケンス番号（プリアンブル番号）を渡す。
【００９３】
図１１は、本発明の実施形態に係る基地局装置３の構成図を示す。基地局装置３は、データ制御部２０１、送信処理部２０３−１〜２０３−３、スケジューリング部２０５（基地局側スケジューリング部）、受信処理部２０７−１〜２０７−３、制御データ抽出部２０９、プリアンブル検出部２１１−１〜２１１−３、無線部２１３から構成される。スケジューリング部２０５は、ＤＬスケジューリング部２１５、ＵＬスケジューリング部２１７、制御データ作成部２１９、ランダムアクセス管理部２２１、上りリンク制御チャネル管理部２２３から構成される。また、本実施例では、コンポーネントキャリアが３つある場合の例を示している為、送信処理部、受信処理部、プリアンブル検出部を３個ずつ持つ構成にしている。尚、無線部２１３、送信処理部２０３−１〜２０３−３、受信処理部２０７−１〜２０７−３、データ制御部２０１、制御データ抽出部２０９、プリアンブル検出部２１１−１〜２１１−３の動作は、図９で示した移動局装置の動作と同じであるので説明は省略する。
【００９４】
スケジューリング部２０５は、下りリンクのスケジューリングを行なうＤＬスケジューリング部２１５と上りリンクのスケジューリングを行なうＵＬスケジューリング部２１７、制御データ作成部２１９、ランダムアクセス管理部２２１、上りリンク制御チャネル管理部２２３から構成さる。
【００９５】
ＤＬスケジューリング部２１５は、移動局装置１−１から通知される下りリンクの無線伝搬路情報や上位層からの通知される各ユーザーのデータ情報や制御データ作成部２１９で作成される制御データから下りリンクの各チャネルにユーザーデータおよび制御データをマッピングする為のスケジューリングを行なう。ＵＬスケジューリング部２１７は、受信処理部２０７からの上りリンクの無線伝搬路推定結果と移動局装置１−１からの無線リソース割り当て要求から上りリンクの各チャネルにユーザーデータをマッピングする為のスケジューリングを行ない、スケジューリング結果を制御データ作成部２１９と受信処理部２０７に渡す。また、プリアンブル検出部２１１からランダムアクセスプリアンブルを検出したことが通知された場合、上りリンク共用チャネルＰＵＳＣＨを割り当てて、割り当てた上りリンク共用チャネルＰＵＳＣＨとプリアンブル番号（シーケンス番号）を制御データ作成部２１９に通知する。
【００９６】
ランダムアクセス管理部２２１は、移動局装置１−１にランダムアクセスを実行させる場合に、専用シーケンス（専用プリアンブル）があるかどうか確認し、専用シーケンスがある場合、専用シーケンスを１つ選択し、選択した専用シーケンスが利用できるランダムアクセスチャネルＲＡＣＨの位置を選択し、選択した専用シーケンス番号とランダムアクセスチャネル番号と選択した専用シーケンスとランダムアクセスチャネルに対応した下りリンクコンポーネントキャリアの情報（コンポーネントキャリア番号）と移動局装置のＣ−ＲＮＴＩ（移動局装置識別情報）を制御データ作成部に渡す。専用シーケンス（専用プリアンブル）がない場合、専用シーケンス番号とランダムアクセスチャネル番号とコンポーネントキャリア番号を固定の値（例えば、全て０の値）にして制御データ作成部に渡す。尚、ここで指定するランダムアクセスチャネル番号は、移動局装置選択可能なランダムアクセスチャネルの位置を示す情報で、例えば、一定周期（例えば１フレーム毎）に割り当てたランダムアクセスチャネルＲＡＣＨ位置の情報である。
【００９７】
制御データ作成部２１９は、下りリンク制御チャネルＰＤＣＣＨに配置される制御データや下りリンクＰＤＳＣＨに配置される制御データを作成する。スケジューリング情報を含んだ制御メッセージ、上りリンクデータのＡＣＫ／ＮＡＣＫ、ランダムアクセスチャネル位置に関する情報やシーケンス情報とシーケンスグループに関する情報などのランダムアクセスに関する情報を含む報知情報メッセージ、利用するコンポーネントキャリアの設定情報（ランダムアクセスに関する情報を含む）を含んだ初期設定メッセージ、セキュリティに関する情報を含んだセキュリティメッセージ、プリアンブル番号や送信タイミング情報やスケジューリング情報を含んだランダムアクセスレスポンスメッセージ、コンテンションレゾリューションメッセージ、専用シーケンス番号とランダムアクセスチャネル番号とコンポーネントキャリア番号を含んだランダムアクセス指示メッセージ、上りリンク制御チャネルＰＵＣＣＨの割り当て情報を含んだ制御チャネル割り当てメッセージなどの制御データを作成する。また、制御データ作成部２１９は、上位層から渡されたセキュリティに関する情報からセキュリティメッセージを作成し、セキュリティに関する情報をデータ制御２０１と制御データ抽出部２０９に渡す。
【００９８】
上りリンク制御チャネル管理部２２３は、上りリンク制御チャネルＰＵＣＣＨの無線リソースを管理し、移動局装置１−１に上りリンク制御チャネルＰＵＣＣＨの割り当てを行い、割り当て情報を制御データ作成部に渡す。
【００９９】
[動作説明]
各移動局装置への上りリンク制御チャネルＰＵＣＣＨの割り当ては、セキュリティ情報の割り当てと同様に１つのコンポーネントキャリアに対して割り当てられる。ここでは、上りリンク制御チャネルＰＵＣＣＨが割り当てられたコンポーネントキャリアでのみでスケジューリングリクエストのランダムアクセスを行なう例を示す。
【０１００】
移動局装置１−１と基地局装置３の動作を説明する。移動局装置１−１は、セルサーチを行い、接続する基地局装置を探す。基地局装置３の１つのコンポーネントキャリアを見つけ、このコンポーネントキャリアから報知情報を取得する。そして、移動局装置１−１は、報知情報に含まれるランダムアクセスに関する情報を使用して、基地局装置３に初期アクセスのためのランダムアクセスを行う。そして、移動局装置１−１は、基地局装置３から送信タイミング情報を含んだランダムアクセスレスポンス情報を取得し、上りリンクの送信タイミングを設定して、メッセージ３を基地局装置３に送信する。尚、このメッセージ３に初期アクセスを示した内容を含めてメッセージ３を送信する。ランダムアクセス手順が完了後、移動局装置１−１は、基地局装置３からセキュリティに関する情報、上りリンク制御チャネルＰＵＣＣＨの割り当て情報や利用するコンポーネントキャリア及び利用するコンポーネントキャリア毎の設定情報（ランダムアクセスに関する情報）などの各種設定情報を取得し、取得した情報を設定する。この後、移動局装置１−１と基地局装置３との間で複数のコンポーネントキャリアを用いてユーザーデータのやり取りがされる。
【０１０１】
移動局装置１−１は、基地局装置３からの上りリンク共用チャネルＰＵＳＣＨの割り当てがなくなり、上りリンク同期している（送信タイミングが有効である）状態で新たに上りリンクの送信データが発生した場合、スケジューリングリクエストとしてランダムアクセスを実行する。この時、移動局装置１−１は、ランダムアクセスで使用するコンポーネントキャリアに上りリンク制御チャネルＰＵＣＣＨが割り当てられているコンポーネントキャリアを選択する。そして、上りリンク制御チャネルＰＵＣＣＨが割り当てられているコンポーネントキャリアのランダムアクセスに関する情報を使用して、１つのランダムシーケンスを選択し、ランダムアクセスプリアンブルを生成して、ランダムアクセスプリアンブルを基地局装置３に送信し、ランダムアクセス手順を実行する。
【０１０２】
また、移動局装置１−１は、一定期間内にデータ送信ないと上りリンク同期が外れた（上りリンクの送信タイミングが有効でない）状態になり、基地局装置３から割り当てられた上りリンク制御チャネルＰＵＣＣＨの無線リソースを解放する。移動局装置１−１に新たに送信データが発生した場合、移動局装置１−１は、スケジューリングリクエストとしてランダムアクセスを実行する。この時、移動局装置１−１は、ランダムアクセスで使用するコンポーネントキャリアにセキュリティ機能が設定されたコンポーネントキャリアを選択する。そして、セキュリティ機能が設定されたコンポーネントキャリアのランダムアクセスに関する情報を使用して、１つのランダムシーケンスを選択し、ランダムアクセスプリアンブルを生成して、ランダムアクセスプリアンブルを基地局装置３に送信し、ランダムアクセス手順を実行する。
【０１０３】
上りリンク制御チャネルＰＵＣＣＨが割り当てられていないコンポーネントキャリアやセキュリティ機能が設定されていないその他のコンポーネントキャリアでは、移動局装置１−１は、基地局装置３から下りリンク制御チャネルＰＤＣＣＨでランダムアクセス指示情報を受信した場合のみ、上りリンク同期している、または、上りリンク同期していないに関わらず、指示があったコンポーネントキャリアでランダムアクセスを行う。尚、ランダムアクセスは、ランダムアクセス指示情報で指定されたシーケンスを使用して実行される。上りリンク制御チャネルＰＵＣＣＨが割り当てられているコンポーネントキャリアにおいても、同様に基地局装置３からランダムアクセス指示情報を受信した場合、ランダムアクセスを行う。
【０１０４】
尚、移動局装置１−１が、スケジューリングリクエストとしてのランダムアクセス手順の処理中に基地局装置３からランダムアクセス指示情報を受信した場合、スケジューリングリクエストとしてのランダムアクセス処理を継続して、基地局装置３からのランダムアクセス指示情報を無視するか、スケジューリングリクエストとしてのランダムアクセス処理を中止して、基地局装置３からのランダムアクセス指示情報に従ってランダムアクセスを行う。また、基地局装置３からのランダムアクセス指示情報からのランダムアクセス処理中に別のコンポーネントキャリアでのランダムアクセス指示情報を受信した場合、最初のランダムアクセス指示を優先させ、後のランダムアクセス指示情報を無視する。このように移動局装置１−１は、複数のランダムアクセス処理を同時に実行しないようにする。
【０１０５】
基地局装置３は、ランダムアクセスプリアンブルを受信すると、ランダムアクセスプリアンブルから移動局装置１−１の送信タイミングを算出し、ランダムアクセスレスポンスで送信タイミングを通知する。そして、ランダムアクセス処理後、移動局装置１−１は、初期アクセスであるから、ＣＱＩを送信する上りリンク制御チャネルの割り当て情報やセキュリティに関する情報や利用するコンポーネントキャリアに関する情報などの各種設定情報を通知する。この後、基地局装置３と移動局装置１−１との間でユーザーデータのやり取りがされる。
【０１０６】
基地局装置３は、移動局装置１−１の上りリンク同期が外れている状態で移動局装置１−１に対する下りリンクデータが発生した場合や未使用のコンポーネントキャリアを使用してデータの送受信を行なう場合、移動局装置１−１にランダムアクセス指示を行なう。この時、使用するコンポーネントキャリア番号、使用するシーケンスの番号などを含めたランダムアクセス指示情報を下りリンク制御チャネルＰＤＣＣＨで移動局装置１−１に通知する。そして、移動局装置１−１からのランダムアクセスプリアンブルを受信した場合、受信したランダムアクセスプリアンブルから移動局装置１−１の送信タイミングを算出し、ランダムアクセスレスポンスで送信タイミングを通知する。
【０１０７】
このようにすることで、無駄なランダムアクセスは発生しない。また、移動局装置は、同時にランダムアクセス処理を行なう必要がないので、移動局装置のランダムアクセス処理は複雑にならない。
【０１０８】
（実施例３）
[構成説明]
本発明の実施形態に係る移動局装置の構成は図８と同じである。移動局装置１−１〜１−３は、無線部１０１、送信処理部１０３−１〜１０３−３、受信処理部１０５−１〜１０５−３、送信データ制御部１０７、スケジューリング部１０９、制御データ抽出部１１１、ランダムアクセスプリアンブル生成部１１３、送信タイミング調整部１１５−１〜１１５−３から構成される。スケジューリング部１０９は、制御データ作成部１１７、制御データ解析部１１９、ＵＬスケジューリング部１２１、ランダムアクセス管理部１２３から構成される。また、本実施例では、コンポーネントキャリアが３つある場合の例を示している為、送信処理部、受信処理部、送信タイミング調整部を３個ずつ持つ構成にしている。尚、無線部１０１、送信処理部１０３−１〜１０３−３、受信処理部１０５−１〜１０５−３、送信データ制御部１０７、制御データ抽出部１０９、ランダムアクセスプリアンブル生成部１１３、送信タイミング調整部１１５−１〜１１５−３の動作は、図８で示した移動局装置の動作と同じであるので説明は省略する。
【０１０９】
スケジューリング部１０９は、ＵＬスケジューリング部１２１、制御データ解析部１１９、制御データ作成部１１７、ランダムアクセス管理部１２３から構成される。制御データ作成部１１７は、制御データを作成し、制御データ抽出部１１１が受信した下りリンクのデータの応答を作成する。制御データ解析部１１９は、制御データ抽出部１１１からのデータを解析し、上りリンクデータのスケジューリング情報はＵＬスケジューリング部１２１に渡し、基地局装置３からのランダムアクセスに関する情報（ランダムアクセスチャネルＲＡＣＨの配置情報、ランダムアクセスプリアンブル生成情報など）や基地局装置３からのランダムアクセス指示情報やランダムアクセスレスポンスのメッセージ内容をランダムアクセス管理部１２３およびランダムアクセスプリアンブル生成部１１３に渡す。
【０１１０】
ＵＬスケジューリング部１２１は、上りリンクデータのスケジューリング情報をもとに送信データ制御部１０７を制御する。また、上位層からのスケジューリング情報をもとにランダムアクセス管理部にランダムアクセスを指示する。
【０１１１】
ランダムアクセス管理部１２３は、取得したコンポーネントキャリアのランダムアクセスに関する情報を管理する。ランダムアクセス管理部１２３は、ランダムアクセスを行なう場合、ランダムアクセスプリアンブルを送信するコンポーネントキャリアをランダムアクセスに関する情報を保持しているコンポーネントキャリアの中から決定する。そして、決定したコンポーネントキャリアのランダムアクセスに関する情報と受信処理部１０５から渡された下りリンクの無線伝搬路特性情報とメッセージ３の送信データサイズをもとに使用するシーケンスをランダムに選択し、ランダムアクセスプリアンブル生成部１１３に選択したコンポーネントキャリア番号とシーケンス番号（プリアンブル番号）を通知する。尚、ランダムアクセスの詳細は後述する。
【０１１２】
そして、制御データ解析部１１９から渡されたランダムアクセスレスポンスの内容を確認し、送信したランダムアクセスプリアンブルのプリアンブル番号を検出した場合、送信タイミング情報をランダムアクセスしたコンポーネントキャリアに対応した送信タイミング調整部１１５−１〜１１５−３のいずれかに渡し、割り当てられた無線リソース情報をＵＬスケジューリング部１２１に渡す。そして、コンテンションレゾリューションメッセージを確認するとランダムアクセスを終了する。また、制御データ解析部１１９から渡されたランダムアクセス指示情報から使用するコンポーネントキャリア番号とシーケンス番号（プリアンブル番号）とランダムアクセスチャネル番号を抽出し、ランダムアクセスプリアンブル生成部１１３にコンポーネントキャリア番号とシーケンス番号（プリアンブル番号）を渡す。
【０１１３】
尚、移動局装置１−１〜１−３が選択するシーケンスをランダムシーケンス（ランダムプリアンブル）と示し、基地局装置３から指定されるシーケンスを専用シーケンス（専用プリアンブル）と示す。基地局装置３から使用するコンポーネントキャリアを指定されない場合、移動局装置１−１は、ランダムアクセス指示情報を受信した下りリンクコンポーネントキャリアに対応した上りリンクコンポーネントキャリアでランダムアクセスを行う。また、使用するシーケンスを指定されない場合、移動局装置１−１は、ランダムシーケンスからシーケンスを選択する。
【０１１４】
本発明の実施形態に係る基地局装置３の構成図は、図９と同じである。基地局装置３は、データ制御部２０１、送信処理部２０３−１〜２０３−３、スケジューリング部２０５（基地局側スケジューリング部）、受信処理部２０７−１〜２０７−３、制御データ抽出部２０９、プリアンブル検出部２１１−１〜２１１−３、無線部２１３から構成される。スケジューリング部２０５は、ＤＬスケジューリング部２１５、ＵＬスケジューリング部２１７、制御データ作成部２１９、ランダムアクセス管理部２２１から構成される。また、本実施例では、コンポーネントキャリアが３つある場合の例を示している為、送信処理部、受信処理部、プリアンブル検出部を３個ずつ持つ構成にしている。尚、無線部２１３、送信処理部２０３−１〜２０３−３、受信処理部２０７−１〜２０７−３、データ制御部２０１、制御データ抽出部２０９、プリアンブル検出部２１１−１〜２１１−３の動作は、図９で示した移動局装置の動作と同じであるので説明は省略する。
【０１１５】
スケジューリング部２０５は、下りリンクのスケジューリングを行なうＤＬスケジューリング部２１５と上りリンクのスケジューリングを行なうＵＬスケジューリング部２１７、制御データ作成部２１９、ランダムアクセス管理部２２１から構成される。ＤＬスケジューリング部２１５は移動局装置１−１から通知される下りリンクの無線伝搬路情報や上位層からの通知される各ユーザーのデータ情報や制御データ作成部２１９で作成される制御データから下りリンクの各チャネルにユーザーデータおよび制御データをマッピングする為のスケジューリングを行ない、ＵＬスケジューリング部２１７は、受信処理部２０７からの上りリンクの無線伝搬路推定結果と移動局装置１−１からの無線リソース割り当て要求から上りリンクの各チャネルにユーザーデータをマッピングする為のスケジューリングを行ない、スケジューリング結果を制御データ作成部２１９と受信処理部２０７に渡す。また、プリアンブル検出部２１１からランダムアクセスプリアンブルを検出したことが通知された場合、上りリンク共用チャネルＰＵＳＣＨを割り当てて、割り当てた上りリンク共用チャネルＰＵＳＣＨとプリアンブル番号（シーケンス番号）を制御データ作成部２１９に通知する。
【０１１６】
ランダムアクセス管理部２２１は、コンポーネントキャリアの割り当て時に、ランダムアクセスを許可するコンポーネントキャリアを決定する。そして、許可したコンポーネントキャリアのランダムアクセスに関する情報を制御データ作成部に渡す。また、ランダムアクセス管理部２２１は、移動局装置１−１にランダムアクセスを実行させる場合に、専用シーケンス（専用プリアンブル）があるかどうか確認し、専用シーケンスがある場合、専用シーケンスを１つ選択し、選択した専用シーケンスが利用できるランダムアクセスチャネルＲＡＣＨの位置を選択し、選択した専用シーケンス番号とランダムアクセスチャネル番号と選択した専用シーケンスとランダムアクセスチャネルに対応した下りリンクコンポーネントキャリアの情報（コンポーネントキャリア番号）と移動局装置のＣ−ＲＮＴＩ（移動局装置識別情報）を制御データ作成部に渡す。専用シーケンス（専用プリアンブル）がない場合、専用シーケンス番号とランダムアクセスチャネル番号とコンポーネントキャリア番号を固定の値（例えば、全て０の値）にして制御データ作成部に渡す。尚、ここで指定するランダムアクセスチャネル番号は、移動局装置選択可能なランダムアクセスチャネルの位置を示す情報で、例えば、一定周期（例えば１フレーム毎）に割り当てたランダムアクセスチャネルＲＡＣＨ位置の情報である。
【０１１７】
制御データ作成部２１９は、下りリンク制御チャネルＰＤＣＣＨに配置される制御データや下りリンクＰＤＳＣＨに配置される制御データを作成する。スケジューリング情報を含んだ制御メッセージ、上りリンクデータのＡＣＫ／ＮＡＣＫ、ランダムアクセスチャネル位置に関する情報やシーケンス情報とシーケンスグループに関する情報などのランダムアクセスに関する情報を含む報知情報メッセージ、利用するコンポーネントキャリアの設定情報（ランダムアクセスに関する情報を含む）を含んだ初期設定メッセージ、セキュリティに関する情報を含んだセキュリティメッセージ、プリアンブル番号や送信タイミング情報やスケジューリング情報を含んだランダムアクセスレスポンスメッセージ、コンテンションレゾリューションメッセージ、専用シーケンス番号とランダムアクセスチャネル番号とコンポーネントキャリア番号を含んだランダムアクセス指示メッセージなどの制御データを作成する。
【０１１８】
[動作説明]
基地局装置は、複数のコンポーネントキャリアを移動局装置に割り当てて、移動局装置と通信する場合、基地局装置は、コンポーネントキャリアの割り当て情報と共に各コンポーネントキャリア設定情報（コンポーネントキャリア毎に設定される各物理チャネルのチャネル構成やランダムアクセスに関する情報などコンポーネントキャリア毎に決定される情報）を移動局装置に通知している。移動局装置は、報知情報から各コンポーネントキャリアの設定情報を取得できるが、複数のコンポーネントキャリアが設定された場合、直ぐに複数のコンポーネントキャリアを使用して通信を開始できるように、基地局装置がコンポーネントキャリア割り当て時にコンポーネントキャリアの設定情報を個別に通知するようにしている。このことから、コンポーネントキャリアの割り当て情報と各コンポーネントキャリア設定情報の通知時にコンポーネントキャリア設定情報の内、ランダムアクセスの必要性のないコンポーネントキャリアに対して、コンポーネントキャリア設定情報にそのコンポーネントキャリアのランダムアクセスに関する情報を含めないことでランダムアクセスを禁止することができる。
【０１１９】
移動局装置１−１と基地局装置３の動作を説明する。移動局装置１−１は、セルサーチを行い、基地局装置３の１つのコンポーネントキャリアを見つけ、このコンポーネントキャリアから報知情報を取得する。そして、移動局装置１−１は、報知情報に含まれるランダムアクセスに関する情報を使用して、基地局装置３に初期アクセスのためのランダムアクセスを行う。そして、移動局装置１−１は、基地局装置３から送信タイミング情報を含んだランダムアクセスレスポンス情報を取得し、上りリンクの送信タイミングを設定して、メッセージ３を基地局装置３に送信する。尚、このメッセージ３に初期アクセスを示した内容を含めてメッセージ３を送信する。ランダムアクセス手順が完了後、移動局装置１−１は、基地局装置３から利用するコンポーネントキャリアとランダムアクセスを許可されたコンポーネントキャリアを通知される。そして、利用するコンポーネントキャリアのランダムアクセスに関する情報を除いたコンポーネントキャリア設定情報とランダムアクセスが許可されたコンポーネントキャリアのランダムアクセスに関する情報を含んだコンポーネントキャリア設定情報などの各種設定情報を取得し、取得した情報を設定する。この後、移動局装置１−１と基地局装置３との間で複数のコンポーネントキャリアを用いてユーザーデータのやり取りがされる。
【０１２０】
移動局装置１−１は、基地局装置３からの上りリンク共用チャネルＰＵＳＣＨの割り当てがなくなり、上りリンク同期している（送信タイミングが有効である）状態、または、上りリンク同期していない（送信タイミングが有効でない）状態で新たに上りリンクの送信データが発生した場合、スケジューリングリクエストとしてランダムアクセスを実行する。この時、移動局装置１−１は、ランダムアクセスで使用するコンポーネントキャリアにランダムアクセスを許可されたコンポーネントキャリアを選択する。そして、ランダムアクセスを許可されたコンポーネントキャリアのランダムアクセスに関する情報を使用して、１つのランダムシーケンスを選択し、ランダムアクセスプリアンブルを生成して、ランダムアクセスプリアンブルを基地局装置３に送信し、ランダムアクセス手順を実行する。尚、ランダムアクセスを許可されたコンポーネントキャリアが複数ある場合、ランダムに使用するコンポーネントキャリアを選択する。また、コンポーネントキャリアの通信状態などを考慮して使用するコンポーネントキャリアを選択しても良い。
【０１２１】
移動局装置１−１が基地局装置３から下りリンク制御チャネルＰＤＣＣＨでランダムアクセス指示を受信した場合、ランダムアクセス指示で示されたコンポーネントキャリアがランダムアクセスを許可されたコンポーネントキャリアであれば、移動局装置１−１は、ランダムアクセス指示の内容に従って、ランダムアクセスを行なう。尚、ランダムアクセスを許可されていないコンポーネントキャリアであれば、ランダムアクセス指示があってもランダムアクセスを行なわない。
【０１２２】
尚、移動局装置１−１が、スケジューリングリクエストとしてのランダムアクセス手順の処理中に基地局装置３からランダムアクセス指示情報を受信した場合、スケジューリングリクエストとしてのランダムアクセス処理を継続して、基地局装置３からのランダムアクセス指示情報を無視するか、スケジューリングリクエストとしてのランダムアクセス処理を中止して、基地局装置３からのランダムアクセス指示情報に従ってランダムアクセスを行う。また、基地局装置３からのランダムアクセス指示情報からのランダムアクセス処理中に別のコンポーネントキャリアでのランダムアクセス指示情報を受信した場合、最初のランダムアクセス指示を優先させ、後のランダムアクセス指示情報を無視する。このように移動局装置１−１は、複数のランダムアクセス処理を同時に実行しないようにする。
【０１２３】
基地局装置３は、ランダムアクセスプリアンブルを受信すると、ランダムアクセスプリアンブルから移動局装置１−１の送信タイミングを算出し、ランダムアクセスレスポンスで送信タイミングを通知する。そして、ランダムアクセス処理後、移動局装置１−１は、初期アクセスであるから、利用するコンポーネントキャリアと利用するコンポーネントキャリアの内でランダムアクセスを許可するコンポーネントキャリアを通知し、更に、利用するコンポーネントキャリアのランダムアクセスに関する情報を除いたコンポーネントキャリア設定情報とランダムアクセスを許可するコンポーネントキャリアのランダムアクセスに関する情報を含んだコンポーネントキャリア設定情報などの各種設定情報を通知する。この後、基地局装置３と移動局装置１−１との間でユーザーデータのやり取りがされる。
【０１２４】
基地局装置３は、移動局装置１−１の上りリンク同期が外れている状態で移動局装置１−１に対する下りリンクデータが発生した場合や未使用のコンポーネントキャリアを使用してデータの送受信を行なう場合、移動局装置１−１にランダムアクセス指示を行なう。この時、使用するコンポーネントキャリア番号、使用するシーケンスの番号などを含めたランダムアクセス指示情報を下りリンク制御チャネルＰＤＣＣＨで移動局装置１−１に通知する。そして、移動局装置１−１からのランダムアクセスプリアンブルを受信した場合、受信したランダムアクセスプリアンブルから移動局装置１−１の送信タイミングを算出し、ランダムアクセスレスポンスで送信タイミングを通知する。
【０１２５】
このようにすることで、無駄なランダムアクセスは発生しない。また、移動局装置は、同時にランダムアクセス処理を行なう必要がないので、移動局装置のランダムアクセス処理は複雑にならない。尚、本実施例では、ランダムアクセスに関する情報を通知しないことで、ランダムアクセスを禁止するコンポーネントキャリアとしたが、全コンポーネントキャリアのランダムアクセスに関する情報を通知しておき、別にコンポーネントキャリア別にランダムアクセスを許可する／許可しないを示す情報を通知しても良い。このようにすることで、基地局装置は、移動局装置にランダムアクセスを許可または禁止することを自由に設定することができる。
【０１２６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１２７】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
【０１２８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１２９】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１３０】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１３１】
１−１〜１−３  移動局装置
３  基地局装置
１０１、２１３  無線部
１０３−１〜１０３−３、２０３−１〜２０３−３  送信処理部
１０５−１〜１０５−３、２０７−１〜２０７−３  受信処理部
１０９、２０５  スケジューリング部
【図１】
0005385416.tif 000002
【図２】
0005385416.tif 000003
【図３】
0005385416.tif 000004
【図４】
0005385416.tif 000005
【図５】
0005385416.tif 000006
【図６】
0005385416.tif 000007
【図７】
0005385416.tif 000008
【図８】
0005385416.tif 000009
【図９】
0005385416.tif 000010
【図１０】
0005385416.tif 000011
【図１１】
0005385416.tif 000012